(57)【要約】      （修正有）【課題】片手で蓋体の開放や閉めを自在にできる眼鏡ケースを提供する。【解決手段】眼鏡ケース１は、上蓋２と、下蓋３と、上蓋押え部４とが一体となるケース型形状であり、上蓋と下蓋との接合部の両端部に２ヶの回転具６が設けられており、前記上蓋押え部４を手前に押すと上蓋端部に設けた係止具を外すために、回転具の作用で上蓋がゆっくりと開放される。上蓋２は他端部に設けられた２ヶの回転部６の働きで上方に開放される構造となっているが、上記係合部の外れと共に直ぐに上方に開放するのではなく、回転具６内に充填されたオイルが支持軸に嵌合して伸縮するスプリングの動作を緩慢にさせるため、結果として上蓋をゆっくりと上方に開放する機構となっている。【選択図】図１
0003104040.tif 000002
【実用新案登録請求の範囲】
【請求項１】
上蓋及び下蓋からなる眼鏡ケースであって、上蓋及び下蓋との接触部に取り付けられた回転具と、スプリングを介して前後に移動可能な上蓋押え部とが設けられ、前記上蓋押え部の押脱により係止具が外れ回転具内のスプリングが動き上蓋がゆっくりと上方に開放することを特徴とする眼鏡ケース。
【請求項２】
前記回転具は、スプリングを支持する支持軸と該支持軸を内包する外匡とが一体化され、更に前記支持軸内にはオイルが封入されていることを特徴とする請求項１記載の眼鏡ケース。
【請求項３】
前記回転具は、取り付け穴を有する本体ケースと、該ケース内部に嵌合したローター或いはベーンと、該ケース内部の隙間に充填したオイルと、蓋体とから構成されることを特徴とする請求項１記載の眼鏡ケース。
【請求項４】
前記上蓋押え部は、下蓋端部上面とバネ材を介して接し、かつ上蓋端部の係止具を上蓋押え部内面の係止溝で係止する機構であることを特徴とする請求項１記載の眼鏡ケース。
【請求項５】
上蓋及び下蓋からなる眼鏡ケースであって、上蓋及び下蓋との接触部に取り付けられた回転具と、下蓋に取り付けられた開放部とが設けられ、前記開放部の押脱により係止具を外して回転具内のスプリングが動きで上蓋がゆっくりと上方に開放することを特徴とする眼鏡ケース。
【考案の詳細な説明】
【技術分野】
【０００１】
本考案は、上下蓋体が一体化した眼鏡ケースに関し、更に詳しくは、上下蓋体接触部に内部にオイルを充填してある回転具を取り付け、上部蓋体がゆっくりと上部に回動する眼鏡ケースに関する。
【背景技術】
【０００２】
従来の眼鏡ケースのうち上蓋と下蓋とが一体的な眼鏡としては、実開平２−１１４３１号「収納個付メガネケース」に示されるように、側端部にヒンジ部を介して上下に開放される構造の眼鏡ケースは公知である。
【０００３】
この形状の眼鏡ケースは、両手で押さえながら開放側に設けられた開放口を少し開け、その後に開放限度一杯まで開放して内部保管してある眼鏡を取り出したり、或いは逆に閉めたりするのが通常であった。
【考案の開示】
【考案が解決しようとする課題】
【０００４】
しかしながら上記の従来型の眼鏡ケースは、両手を使用して上蓋を開放しなければならず、片手で操作が行えるような眼鏡ケースのように、例えばボタンを外すと自動的に上蓋が上方に開放するタイプの眼鏡ケースは今まで知られていなかった。
【課題を解決するための手段】
【０００５】
本考案者は係る課題を解決するために鋭意研究したところ、上蓋と下蓋との接触部に回転具を取り付け、回転具内の回転軸を利用して自動的に回動する眼鏡ケースを製造することができた。
【０００６】
すなわち本考案の第一は、上蓋及び下蓋からなる眼鏡ケースであって、上蓋及び下蓋との接触部に取り付けられた回転具と、スプリングを介して前後に移動可能な上蓋押え部とが設けられ、前記上蓋押え部の押脱により係止具が外れ回転具内のスプリングが動き上蓋がゆっくりと上方に開放することを特徴とする眼鏡ケースである。
【０００７】
本考案の第二は、前記回転具は、スプリングを支持する支持軸と該支持軸を内包する外匡とが一体化され、更に前記支持軸内にはオイルが封入されていることを特徴とする請求項１記載の眼鏡ケースである。
【０００８】
本考案の第三は、前記回転具は、取り付け穴を有する本体ケースと、該ケース内部に嵌合したローター或いはベーンと、該ケース内部の隙間に充填したオイルと、蓋体とから構成されることを特徴とする請求項１記載の眼鏡ケースである。
【０００９】
本考案の第四は、前記上蓋押え部は、下蓋端部上面とバネ材を介して接し、かつ上蓋端部の係止具を上蓋押え部内面の係止溝で係止する機構であることを特徴とする請求項１記載の眼鏡ケースである。
【００１０】
本考案の第五は、上蓋及び下蓋からなる眼鏡ケースであって、上蓋及び下蓋との接触部に取り付けられた回転具と、下蓋に取り付けられた開放部とが設けられ、前記開放部の押脱により係止具を外して回転具内のスプリングが動きで上蓋がゆっくりと上方に開放することを特徴とする眼鏡ケースである。
【考案の効果】
【００１１】
本考案の眼鏡ケースは、回転具内にオイルを充填することによってスプリングの伸縮、或いはロータリーダンパーや揺動ダンパーの回転を押さえることによって回転軸に接続するレバーやギヤをゆっくり動かし、それに伴って上蓋を上方にゆっくりと開放する構造となっているため、使用者は片手で上蓋押え部や下蓋の開放部を押して係止具を外すと自動的に上蓋を開放することができるものである。
【考案を実施するための最良の形態】
【００１２】
以下に図面を参照して、本考案の詳細を説明するが、本考案は、これらに限定されるものではない。
【実施例１】
【００１３】
図１は、本考案に係る眼鏡ケースの斜視図である。本考案の眼鏡ケース１は、上蓋２と、下蓋３と、上蓋押え部４とが一体となるケース型形状であり、上蓋と下蓋との接合部の両端部に２ヶの回転具６が設けられており、前記上蓋押え部４を手前に押すと上蓋端部に設けた係止具を外すために、回転具の作用で上蓋がゆっくりと開放される。
【００１４】
この場合、上蓋押え部４は、片手で外方向（手前側）に押すと上蓋端部側が上方向に上がり上蓋２端部に設けた係合部が外れる構造となっている。
【００１５】
上記係合部が外れると、上蓋２は他端部に設けられた２ヶの回転部６の働きで上方に開放される構造となっているが、上記係合部の外れと共に直ぐに上方に開放するのではなく、回転具６内に充填されたオイル９が支持軸７に嵌合して伸縮するスプリング８の動作を緩慢にさせるため、結果として上蓋をゆっくりと上方に開放する機構となっている。
【００１６】
この場合、回転具６内の構造は、図４に示すように上蓋２の下端部に円筒形状の外枠を形成し、該内周壁に沿って支持軸７が嵌合する構造となっている。この場合、支持軸７は、外形が円筒状であり、内部底面に突起を設けてスプリング止め１１としている。
【００１７】
一方、上蓋２の下端部に設けた円筒形状の外枠内部にも突起を設けてスプリング止め１０とし、スプリング８がこの２ヶのスプリング止めの間に固定される構造となっている。
【００１８】
さらに上記支持軸７の側端部には蓋材が設けられ、この支持軸内にオイル９が封入されているが、スプリングを介して前後に移動可能な上蓋押え部４を押すことによって上部係止部１２を上蓋押え部４内面に設けた溝部１３から外すと変形状態にあったスプリング８が外側に向けて伸び出し、それと共に上蓋を上方に開放する。
【００１９】
この場合スプリングの作動のみの場合は、上方への開放は直ぐに達成されるため使用者の手に当たったりして危険なため、支持軸内にオイルを充填しスプリングの伸縮を任意に押さえ、上方への開放がゆっくりとなるように調節している。
【００２０】
別の形態の眼鏡ケースとしては、上記スプリングを使用する回転具に代え、取り付け穴を有する本体ケースと、該ケース内部に嵌合したローター或いはベーンと、該ケース内部の隙間に充填したオイルと、蓋体とから構成される回転具であってもよい。
【００２１】
これらの回転具は、ロータリーダンパーや揺動ダンパーといわれるものであるが、この場合、ロータリーダンパーは、オイルの粘性抵抗により発生する制動力（ブレーキ力）を利用した回転系のダンパーであり、円筒形状の本体内に回転軸を有するローターを嵌合させ、ロータの周囲にオイルを充填させてキャップで覆い、前記回転軸に上蓋の回転軸としてレバーやギヤにより接続させることによって上蓋を上方に開放できるようにしている。
【００２２】
一方揺動ダンパーは、オイルの圧力を利用した回転系ダンパーであり、本体ケースの中に複数のベーンが回転軸と一体に取り付けられ、これらの隙間にシリコンオイルを充填させてキャップで本体ケースを覆い、前記回転軸に上蓋を上方に開放できるようにしている。
【実施例２】
【００２３】
図５は、本考案に係る別な形態の眼鏡ケースを示す斜視図である。回転機構等の基本構造は実施例１と同じであるが、開放の機構が実施例１では上蓋押え部４を介して上蓋をゆっくり開放するのに対して、本実施例では下蓋３前面に取り付けた下部係止具１３からなる開放部を押すと、上蓋２端部に設けられた上部係止具１２との係止が解けるようにしている。
【実施例３】
【００２４】
図６は、更に別な形態の眼鏡ケースを示す斜視図である。別な構造の係止具として、下蓋３に取り付けた押圧部１４と係止部１５とが一体化された係止具１６からなる開放部を取り付け、この押圧部１４を押すと連動して係止部１５がケース内部に押されるために係止具の突起１７が上蓋２端部の溝（図示せず）から外れて上蓋２が上方に上がるように設計されている。
【００２５】
本考案ケースでは、回転具６の位置をケースの裏側端部でなく、上蓋と下蓋の接合部の中央箇所に回転具６を取り付けてあり、これによって外形が長方形状のケースのみでなく丸みを有するファッショナブルなケースとすることが可能となった。
【図面の簡単な説明】
【００２６】
【図１】本考案に係る眼鏡ケースの斜視図である。
【図２】図１における眼鏡ケースの平面図である。
【図３】図１における眼鏡ケースの正面図である。
【図４】図２におけるＡ−Ａ’断面を示す部分断面図である。
【図５】本考案に係る別な形態の眼鏡ケースを示す斜視図である。
【図６】本考案に係るさらに別な形態の眼鏡ケースを示す斜視図である。
【符号の説明】
【００２７】
１・・・眼鏡ケース
２・・・上蓋
３・・・下蓋
４・・・上蓋押え部
５・・・スプリング材
６・・・回転具
７・・・支持軸
８・・・スプリング
９・・・オイル
１０・・スプリング止めＡ
１１・・スプリング止めＢ
１２・・上部係止具
１３・・下部係止具
１４・・押圧部
１５・・係止部
１６・・係止具
１７・・突起
【図１】
0003104040.tif 000003
【図２】
0003104040.tif 000004
【図３】
0003104040.tif 000005
【図４】
0003104040.tif 000006
【図５】
0003104040.tif 000007
【図６】
0003104040.tif 000008